(57)【特許請求の範囲】
【請求項１】
クリーナ液を付着して手書き面上の書込み内容を消去するライティングボード装置において、
前記クリーナ液が水を主成分とし、そのクリーナ液に、水より比重が軽い潤滑剤を添加してなる、ライティングボード装置。
【請求項２】
前記クリーナ液に、前記潤滑剤とともに抗菌剤を添加してなる、請求項１に記載のライティングボード装置。
【請求項３】
前記抗菌剤が、水より重い比重である、請求項２に記載のライティングボード装置。
【請求項４】
前記抗菌剤が、タルク粉末に水用抗菌成分を塗布したものであり、前記潤滑剤が、シリコーン油よりなるものである、請求項３に記載のライティングボード装置。
【請求項５】
前記手書き面上を走査してその手書き面上にクリーナ液を付着するクリーナ器を設け、そのクリーナ器で前記手書き面上の書込み内容を消去してなるとともに、ポンプを駆動し、貯蔵容器内のクリーナ液を前記クリーナ器に向けて送り出すとともに、そのクリーナ器を通過してからクリーナ液を前記貯蔵容器に戻す第１の循環路と、ポンプを駆動し、タンク内のクリーナ液を前記タンク内の底部より前記貯蔵容器に補給するとともに、その貯蔵容器からオーバーフローしたクリーナ液を前記タンク内の上部に戻す第２の循環路とを備えてなる、請求項３または４に記載のライティングボード装置。
【請求項６】
手書き面に付着してその手書き面上の書込み内容を消去する、ライティングボード装置で用いるクリーナ液において、水を主成分とし、水より比重が軽い潤滑剤を添加してなる、ライティングボード装置で用いるクリーナ液。
【請求項７】
前記潤滑剤とともに抗菌剤を添加してなる、請求項６に記載のライティングボード装置で用いるクリーナ液。
【請求項８】
前記抗菌剤が、水より重い比重である、請求項７に記載のライティングボード装置で用いるクリーナ液。
【請求項９】
前記抗菌剤が、タルク粉末に水用抗菌成分を塗布したものであり、前記潤滑剤が、シリコーン油よりなるものである、請求項８に記載のライティングボード装置で用いるクリーナ液。
【発明の詳細な説明】
【０００１】
【発明の属する技術分野】
この発明は、マーカーペン等の筆記具を用いてシート状の記録媒体の手書き面に書込みを行う、会議等で用いる電子黒板装置や、プレゼンテーションを行うときに用いるプレゼンテーション装置、子供が絵を描いたりして遊ぶお絵描きボード装置などのライティングボード装置に関する。壁掛けタイプやスタンド支持タイプや卓上タイプで、書込み面が黒色・白色・緑色などの各種のライティングボード装置に適用し得る。および、そのようなライティングボード装置において、手書き面に付着してその書込み内容を消去するクリーナ液に関する。
【０００２】
【従来の技術】
従来、ライティングボード装置の中には、シート状の記録媒体で手書き面を形成し、使用時は、その手書き面に、マーカーペン等の筆記具を用いて書込みを行う一方、消去時は、拭き具やクリーナ器等のイレーサで拭いて該手書き面にクリーナ液を付着し、その手書き面上の書込み内容を消すものがある。クリーナ液としては、水等を使用していた。
【０００３】
【発明が解決しようとする課題】
ところが、クリーナ液として、水等を使用するから、長時間使用すると、腐る問題があった。
【０００４】
そこで、この発明の第１の目的は、この種のライティングボード装置において、クリーナ液が腐ることを防止することにある。
【０００５】
また、クリーナ液として、水等を使用するから、手書き面上の書込み内容を消去するとき、記録媒体上での、拭き具やクリーナ器等のイレーサの滑りが悪い問題があった。
【０００６】
そこで、この発明の第２の目的は、この種のライティングボード装置において、イレーサで手書き面上の書込み内容を消去するとき、そのイレーサの滑りをよくすることにある。
【０００７】
また、クリーナ液として、水等を使用するから、クリーナ液が徐々に自然蒸発する問題があった。
【０００８】
そこで、この発明の第３の目的は、この種のライティングボード装置において、クリーナ液の自然蒸発を防止することにある。
【０００９】
この発明の第４の目的は、クリーナ器で走査して手書き面上の書込み内容を消去するライティングボード装置において、クリーナ液が腐ることを防止し、手書き面上の書込み内容を消去するときのクリーナ器の滑りをよくし、またクリーナ液の自然蒸発を防止することにある。
【００１０】
この発明の第５の目的は、クリーナ液に対して添加剤を均一に混合することにある。
【００１１】
この発明の第６の目的は、ライティングボード装置のクリーナ液において、液が腐ることを防止し、手書き面上の書込み内容を消去するときのクリーナ器の滑りをよくし、またクリーナ液の自然蒸発を防止することにある。
【００１２】
【課題を解決するための手段】
そのため、請求項１に記載の発明は、上記第２および第３の目的を達成すべく、クリーナ液を付着して手書き面上の書込み内容を消去するライティングボード装置において、
クリーナ液が水を主成分とし、そのクリーナ液に、水より比重が軽い潤滑剤を添加してなる、ことを特徴とする。
【００１４】
請求項２に記載の発明は、上記第１の目的を達成すべく、請求項１に記載のライティングボード装置において、クリーナ液に、潤滑剤とともに抗菌剤を添加してなる、ことを特徴とする。
請求項３に記載の発明は、請求項２に記載のライティングボード装置において、抗菌剤が、水より重い比重である、ことを特徴とする。
【００１５】
請求項４に記載の発明は、上記第４の目的を達成すべく、請求項３に記載のライティングボード装置において、抗菌剤が、タルク粉末に水用抗菌成分を塗布したものであり、潤滑剤が、シリコーン油よりなるものである、ことを特徴とする。
【００１７】
請求項５に記載の発明は、上記第５の目的を達成すべく、請求項３または４に記載のライティングボード装置において、手書き面上を走査してその手書き面上にクリーナ液を付着するクリーナ器を設け、そのクリーナ器で手書き面上の書込み内容を消去してなるとともに、ポンプを駆動し、貯蔵容器内のクリーナ液をクリーナ器に向けて送り出すとともに、そのクリーナ器を通過してからクリーナ液を貯蔵容器に戻す第１の循環路と、ポンプを駆動し、タンク内のクリーナ液をタンク内の底部より貯蔵容器に補給するとともに、その貯蔵容器からオーバーフローしたクリーナ液をタンク内の上部に戻す第２の循環路とを備えてなる、ことを特徴とする。
【００１８】
請求項６に記載の発明は、上記第２および第３の目的を達成すべく、手書き面に付着してその手書き面上の書込み内容を消去する、ライティングボード装置で用いるクリーナ液において、水を主成分とし、水より比重が軽い潤滑剤を添加してなることを特徴とする。
請求項７に記載の発明は、請求項６に記載のライティングボード装置で用いるクリーナ液において、潤滑剤とともに抗菌剤を添加してなる、ことを特徴とする。
請求項８に記載の発明は、請求項７に記載のライティングボード装置で用いるクリーナ液において、抗菌剤が、水より重い比重である、ことを特徴とする。
請求項９に記載の発明は、請求項８に記載のライティングボード装置で用いるクリーナ液において、抗菌剤が、タルク粉末に水用抗菌成分を塗布したものであり、潤滑剤が、シリコーン油よりなるものである、ことを特徴とする。
【００１９】
【発明の実施の形態】
以下、図面を参照しつつ、この発明の実施の形態につき説明する。
図1には、この発明に係るライティングボード装置の一例である電子黒板装置の概略構成を示す。図２には、その斜視図を示す。
【００２０】
図中符号１０は駆動ローラであり、１１はそれから一定間隔離して平行に設ける従動ローラである。それらのローラ１０・１１間には、エンドレスシート状の記録媒体１２を掛け回す。記録媒体１２の正面内側には、その記録媒体１２に裏当てするように裏板１３を設ける。また、従動ローラ１１の横には、記録媒体１２の外面と対面するように読取機構部１４を備える。
【００２１】
記録媒体１２の背面外側には、その記録媒体１２に、押し当て面１５ａを対向するようにクリーナ器１５を設ける。クリーナ器１５は、縦長で、押し当て面１５ａに縦長な開口１５ｂを有する凹溝１５ｃを内部に形成してなる。
【００２２】
そして、図示省略するが、読取機構部１４およびクリーナ器１５を含めて記録媒体１２の全体をケースで被い、そのケースの正面側に大きな表示窓を設けてそこから記録媒体１２の正面側を外部に臨ませ、そこを、マーカーペン等の筆記具を用いて書込みを行う手書き面とする。
【００２３】
さて、クリーナ器１５の裏側上端部には、内部の凹溝１５ｃに通ずる導入口１６を設ける。そして、その導入口１６には、送出チューブ１７の一端を接続する。送出チューブ１７は、途中に電磁弁１８を設けて、他端を貯蔵容器１９に接続する。
【００２４】
他方、クリーナ器１５の裏側下端部には、内部の凹溝１５ｃに通ずる排出口２０を設ける。そして、その排出口２０には、戻しチューブ２１の一端を接続する。戻しチューブ２１は、途中にポンプ２２を設けて、他端を貯蔵容器１９に接続する。
【００２５】
戻しチューブ２１の、クリーナ器１５とポンプ２２間には、吸上げ管２３の一端を連結する。吸上げ管２３は、途中に流量調整装置２４を設け、他端をタンク２５内に挿入する。その吸上げ管２３の他端は、タンク２５内の底部までのびている。
【００２６】
また、貯蔵容器１９の上部には、オーバーフロー管２６の一端を接続する。オーバーフロー管２６の他端は、タンク２５内に挿入し、そのタンク２５内の上部で止まっている。
【００２７】
タンク２５は、貯蔵容器１９よりはるかに大きな容器部２７と、その開口を被う蓋部２８と、その蓋部２８を外れないように容器部２７に掛け留める留め具２９とからなり、受皿３０上に載置してなる。
【００２８】
容器部２７内には、筆記具のインクと反応して手書き面上の書込み内容を消去するクリーナ液３１を収納する。クリーナ液３１は、図示例では水を主成分とし、それに抗菌剤と潤滑剤を添加してなる。
【００２９】
抗菌剤としては、防菌、防黴効果を有する、例えばサンアイゾール５０００（三愛石油株式会社製の抗菌剤）等、有機窒素硫黄系化合物・安息香酸エステル類等の活性成分をタルク粉末に塗布したものなどを用いる。
【００３０】
一方、潤滑剤としては、例えばＫＦ−９６−３００ＣＳ（信越化学工業株式会社製の潤滑油）等、シリコーン油などを用いる。
【００３１】
蓋部２８は、上述した吸上げ管２３およびオーバーフロー管２６が貫通する。また、蓋部２８には、液面が一定以下となったことを検知する液面検知センサ３２を取り付ける。液面検知センサ３２は、クリーナ液３１が導電性であることを利用し、先端がクリーナ液３１内にあるときはＯＮとなり、ないときはＯＦＦとなる電気回路を構成する。
【００３２】
そして、いま、このライティングボード装置を使用するときは、記録媒体１２の手書き面に、水で消えるインクを用いたマーカーペン等の筆記具を用いて書込みを行う。手書き面がいっぱいになったときには、不図示の送りボタンを押して駆動ローラ１０を回転し、従動ローラ１１を従動回転しながら記録媒体１２を搬送して記録媒体１２の新しい面を表示窓に臨ませる。
【００３３】
手書き面上に書き込んだ手書き内容を用紙にプリントするときは、不図示のコピーボタンを押して駆動ローラ１０を回転し、従動ローラ１１を従動回転しながら記録媒体１２を搬送するとともに、記録媒体１２上の手書き内容を読取機構部１４で読み取り、それを不図示のプリンタでプリントアウトする。
【００３４】
手書き内容を消去したいときには、不図示の消去ボタンを押して駆動ローラ１０を回転し、従動ローラ１１を従動回転しながら記録媒体１２を搬送する一方、ポンプ２２を駆動する。
【００３５】
そして、タンク２５内のクリーナ液３１を吸上げ管２３を通して吸い上げ、貯蔵容器１９内に入れるとともに、戻しチューブ２１を通してクリーナ器１５から空気を吸い込んで開口１５ｂを通して記録媒体１２を吸い付け、押し当て面１５ａを記録媒体１２に押し当てて記録媒体１２で開口１５ｂを塞ぐ。
【００３６】
これにより、貯蔵容器１９内から送出して送出チューブ１７に入れたクリーナ液３１を、途中電磁弁１８を通過して導入口１６からクリーナ器１５の凹溝１５ｃ内に入れ、その凹溝１５ｃ内を流れるクリーナ液３１で記録媒体１２の表面を吸着スクイズし、水を付着してインクを消し、記録媒体１２上に書き込んだ手書き内容を消去して後、インク成分を含んだクリーナ液３１を排出口２０から戻しチューブ２１に入れ、途中ポンプ２２内を通過して貯蔵容器１９内に戻す。
【００３７】
一方、貯蔵容器１９内でオーバーフローしたクリーナ液３１は、オーバーフロー管２６を通してタンク２５内に入る。
【００３８】
つまり、図示電子黒板装置では、ポンプ２２を駆動することにより、貯蔵容器１９内のクリーナ液３１を送出チューブ１７を通してクリーナ器１５に向けて送出するとともに、そのクリーナ器１５内のクリーナ液３１を戻しチューブ２１を通して貯蔵容器１９に戻す第１の循環路Ａを備える。
【００３９】
また、ポンプ２２を駆動することにより、タンク２５内のクリーナ液３１を吸上げ管２３を通して汲み上げ、ポンプ２２内を通過して貯蔵容器１９に補給するとともに、その貯蔵容器１９からオーバーフローしたクリーナ液３１をオーバーフロー管２６を通してタンク２５内に戻す第２の循環路Ｂを備えてなる。
【００４０】
ところで、図示例では、水を主成分とし、それに抗菌剤と潤滑剤を添加したクリーナ液３１を用いる。すなわち、抗菌剤を入れるから、長期間使用しても、水が腐るおそれがない。また、潤滑剤を加えるから、記録媒体１２に対するクリーナ器１５の滑りをよくし、記録媒体１２の送りトルクを軽減することができる。
【００４１】
図３には、図示電子黒板装置における、クリーナ器１５の消去時の吸引圧力であるイレース負圧と、記録媒体１２の送りトルクとの関係を示す。図３から判るとおり、イレース負圧が増加するにともない、送りトルクが低くなっている。
【００４２】
さて、図示例で、活性成分をタルク粉末に塗布した抗菌剤は比重が水より重く、シリコーン油よりなる潤滑剤は比重が水より軽くなっている。そこで、タンク２５内では、抗菌剤は底に沈み、潤滑剤は水に浮いた状態にある。この状態でポンプ２２を駆動してクリーナ液３１が第１の循環路Ｂを循環すると、クリーナ液３１がタンク２５内に戻ったとき、タルク粉末はその表面にタンク２５内で水に浮いた状態にある潤滑剤を付着し、再びタンク２５の底に沈むこととなる。これにより、潤滑剤を常にクリーナ器１５へと供給することができる。
【００４３】
また、水の表面には潤滑剤が浮いた状態にあるから、潤滑剤で水の自然蒸発を妨げ、クリーナ液の交換頻度を低減することができる。
【００４４】
しかし、長期間使用すると、やはりクリーニング液３１中に混入するインク成分が多くなり、クリーナ液は汚れる。同時に、タンク２５内のクリーナ液は少しずつ減ってくる。そして、液面検知センサ３２の先端がクリーナ液中でなくなったときには、電気回路をＯＦＦとして、タンク２５内のクリーナ液の液面が一定以下となったことを不図示の報知手段により報知する。報知を受けたとき、クリーナ液の汚れがさほどひどくないときには、タンク２５内にクリーナ液を補充する。クリーナ液の汚れがひどいときには、クリーナ液を交換する。
【００４５】
なお、上述した図示例では、記録媒体１２をエンドレスシート状として横方向に搬送した。しかし、エンドレスに限らないことはいうまでもなく、また横方向に搬送する場合に限らず、縦方向に搬送する場合にも当然に適用することができる。もちろん、手書き面は、図示例のような表裏２面に限らず、１面でも、３面以上であってもよい。
【００４６】
さらに、図示例では、記録媒体１２側を移動してクリーナ器１５で手書き面上を走査し、手書き面上の書込み内容を自動消去する場合について説明した。しかし、記録媒体側ではなく、クリーナ器側を移動して手書き面上を走査し、手書き面上の書込み内容を自動消去するようにしてもよい。また、拭き具を用いて手動消去する場合にも、クリーナ液に、抗菌剤や潤滑剤を添加すると、有効である。
【００４７】
【発明の効果】
したがって、請求項２および７に記載の発明によれば、クリーナ液に抗菌剤を添加するから、クリーナ液が腐ることを防止し、耐久性を向上し、また信頼性および安全性を高めることができる。
【００４８】
請求項１および６に記載の発明によれば、クリーナ液に潤滑剤を添加するから、イレーサで手書き面上の書込み内容を消去するとき、そのイレーサの滑りをよくし、駆動モータのトルクを小さくし、騒音および振動の低減を図ることができる。また、潤滑剤の比重がクリーナ液の主成分である水より軽いから、水の表面に浮いた潤滑剤により水の自然蒸発を妨げ、クリーナ液の交換頻度を低減することができる。
【００４９】
請求項２および７に記載の発明によれば、加えて、クリーナ液に、抗菌剤と潤滑剤とを添加するから、クリーナ液が腐ることを防止するとともに、イレーサで手書き面上の書込み内容を消去するとき、そのイレーサの滑りをよくすることができる。
【００５０】
請求項４に記載の発明によれば、クリーナ液が水を主成分とし、そのクリーナ液に、抗菌剤としてタルク粉末に水用抗菌成分を塗布したものと、潤滑剤としてシリコーン油よりなるものとを添加するから、クリーナ液が腐ることを防止するとともに、イレーサで手書き面上の書込み内容を消去するとき、そのイレーサの滑りをよくすることができ、また水の表面に浮いた潤滑剤により水の自然蒸発を妨げ、クリーナ液の交換頻度を低減することができる。
【００５２】
請求項５に記載の発明によれば、ポンプを駆動し、貯蔵容器内のクリーナ液をクリーナ器に向けて送り出すとともに、そのクリーナ器を通過してからクリーナ液を貯蔵容器に戻す第１の循環路とともに、ポンプを駆動し、タンク内のクリーナ液を貯蔵容器に補給するとともに、その貯蔵容器からオーバーフローしたクリーナ液をタンク内に戻す第２の循環路を備えるから、クリーナ液を循環してクリーナ液に対して添加剤を均一に混合することができる。
【００５３】
請求項９に記載の発明によれば、手書き面に付着してその手書き面上の書込み内容を消去する、ライティングボード装置で用いるクリーナ液において、水を主成分とし、タルク粉末に水用抗菌成分を塗布した抗菌剤と、シリコーン油よりなる潤滑剤とを添加するから、クリーナ液が腐ることを防止し、手書き面上の書込み内容を消去するときのクリーナ器の滑りをよくし、またクリーナ液の自然蒸発を防止することができる。
【図面の簡単な説明】
【図１】この発明に係るライティングボード装置の一例である電子黒板装置の概略構成図である。
【図２】その概略構成斜視図である。
【図３】その電子黒板装置におけるイレーサ負圧と記録媒体の送りトルクとの関係図である。
【符号の説明】
１５  クリーナ器
１９  貯蔵容器
２２  ポンプ
２５  タンク
３１  クリーナ液
Ａ  第１の循環路
Ｂ  第２の循環路
【図１】
0004562016.tif 000002
【図２】
0004562016.tif 000003
【図３】
0004562016.tif 000004